(57)【要約】【課題】日常的な作業や季節に応じた作業、物品の入れ替え作業を効率的に行うことが可能な部屋構造を提供することを目的とする。【解決手段】物干しスペース２３が設けられた部屋２０構造が、物干しスペース２３と、物干しスペース２３の長さ方向一端部に隣接して設けられた第一収納スペース２２と、物干しスペース２３の長さ方向他端部に隣接して設けられた第二収納スペース２４と、を備えており、物干しスペース２３に隣接する第一収納スペース２２及び第二収納スペース２４は、物干しスペース２３に対して建具を介さずに連通しており、物干しスペース２３の天井２３ｂには、物干し装置３０が取り付けられ、物干し装置３０は、少なくとも物干しスペース２３の長さ方向一端部近傍から他端部近傍までの長さに設定され、かつ被吊下物が吊り下げられる吊り下げ部３１を有する。【選択図】図８
2020056257.tif 000002
【特許請求の範囲】
【請求項１】
物干しスペースが設けられた部屋構造において、
前記物干しスペースと、前記物干しスペースの長さ方向一端部に隣接して設けられた第一収納スペースと、前記物干しスペースの長さ方向他端部に隣接して設けられた第二収納スペースと、を備えており、
前記物干しスペースに隣接する前記第一収納スペース及び前記第二収納スペースは、前記物干しスペースに対して建具を介さずに連通しており、
前記物干しスペースの天井には、物干し装置が取り付けられ、
前記物干し装置は、少なくとも前記物干しスペースの長さ方向一端部に隣接する前記第一収納スペースの境界部分の近傍から前記物干しスペースの長さ方向他端部に隣接する前記第二収納スペースの近傍までの長さに設定され、かつ被吊下物が吊り下げられる吊り下げ部を有することを特徴とする部屋構造。
【請求項２】
請求項１に記載の部屋構造において、
前記物干しスペースは、当該物干しスペースの長さ方向の片側に、窓が形成された外壁に隣接するようにして配置されており、
前記物干し装置における前記吊り下げ部は、前記窓の幅方向に沿って配置されていることを特徴とする部屋構造。
【請求項３】
請求項１又は２に記載の部屋構造において、
前記第二収納スペースは、前記物干しスペースよりも上方の高さ位置に設けられたロフトとされており、
前記物干しスペースの天井の高さ位置と、前記第二収納スペースの天井の高さ位置は略等しく設定され、これら天井は面一の状態になっていることを特徴とする部屋構造。
【請求項４】
請求項３に記載の部屋構造において、
前記物干し装置における前記吊り下げ部は、前記物干しスペースの長さ方向一端部に隣接する前記第一収納スペースの境界部分の近傍から前記第二収納スペースの内部までの長さに設定されていることを特徴とする部屋構造。
【請求項５】
請求項１〜４のいずれか一項に記載の部屋構造において、
前記物干しスペースの長さ方向一端部には作業台が設けられていることを特徴とする部屋構造。
【請求項６】
請求項１〜５のいずれか一項に記載の部屋構造において、
前記物干し装置における前記吊り下げ部は、前記物干しスペースの長さ方向に沿って長尺に形成されたレールと、ハンガーや物干し器具等が引っ掛けられて前記レールの長さ方向に沿って移動する複数のハンガーランナーと、を備えており、
前記物干し装置は、電気を駆動源とし、前記複数のハンガーランナーを前記レールに沿って走行させる駆動部を更に有することを特徴とする部屋構造。
【発明の詳細な説明】
【技術分野】
【０００１】
本発明は、部屋構造に関する。
【背景技術】
【０００２】
従来、住宅等の建物において洗濯物を干す際には、ベランダ等の屋外に設置された物干し竿が使用されている。また、雨や雪などの悪天候の場合や、住人が仕事等により長時間不在となる場合には、洗濯物を室内に干すことがある。特に、共働きの夫婦にあっては、日中は家に不在となることが多いため、室内干しをする頻度が高い傾向にある。
特許文献１には、物干し装置が設けられている室内物干し空間に、乾いた洗濯物を収納可能な収納スペースのある居室とベランダとが隣接配置されており、ベランダ又は室内物干し空間に洗濯物を干してから居室に収納するまでの作業を効率的に行うことを可能とした構成が開示されている。
【先行技術文献】
【特許文献】
【０００３】
【特許文献１】特開２０１７−１９８０３０号公報
【発明の概要】
【発明が解決しようとする課題】
【０００４】
ところで、衣類や洗濯が可能なその他多くの布製品に関しては、洗濯し、ベランダや室内物干し空間で干して乾燥させ、所定の収納スペースに収納する日常的な作業と、衣替えと呼ばれる季節に応じた作業が行われる。また、衣類や布製品だけでなく、身に着ける小物類を始めとする様々な物品の入れ替え作業も定期的又は不定期に行われる。
しかしながら、上述した従来の建物においては、日常的な作業や季節に応じた作業、物品の入れ替え作業を効率的に行うことを可能とした構成については開示されていない。
【０００５】
本発明は上記事情に鑑みてなされたものであり、日常的な作業や季節に応じた作業、物品の入れ替え作業を効率的に行うことが可能な部屋構造を提供することを目的とする。
【課題を解決するための手段】
【０００６】
請求項１に記載の発明は、例えば図１〜図１４に示すように、物干しスペース２３が設けられた部屋２０構造において、
前記物干しスペース２３と、前記物干しスペース２３の長さ方向一端部に隣接して設けられた第一収納スペース２２と、前記物干しスペース２３の長さ方向他端部に隣接して設けられた第二収納スペース２４と、を備えており、
前記物干しスペース２３に隣接する前記第一収納スペース２２及び前記第二収納スペース２４は、前記物干しスペース２３に対して建具を介さずに連通しており、
前記物干しスペース２３の天井２３ｂには、物干し装置３０（４０，５０，６０，７０）が取り付けられ、
前記物干し装置３０（４０，５０，６０，７０）は、少なくとも前記物干しスペース２３の長さ方向一端部に隣接する前記第一収納スペース２２の境界部分Ｂ２の近傍から前記物干しスペース２３の長さ方向他端部に隣接する前記第二収納スペース２４の近傍までの長さに設定され、かつ被吊下物が吊り下げられる吊り下げ部３１（４１，５１，６１，７１）を有することを特徴とする。
【０００７】
請求項１に記載の発明によれば、物干しスペース２３に隣接する第一収納スペース２２及び第二収納スペース２４は、物干しスペース２３に対して建具を介さずに連通しているので、物干しスペース２３からは、第一収納スペース２２と第二収納スペース２４に対して行き来がしやすい。
物干し装置３０（４０，５０，６０，７０）は、少なくとも物干しスペース２３の長さ方向一端部に隣接する第一収納スペース２２の境界部分Ｂ２の近傍から物干しスペース２３の長さ方向他端部に隣接する第二収納スペース２４の近傍までの長さに設定され、かつ被吊下物が吊り下げられる吊り下げ部３１（４１，５１，６１，７１）を有するので、物干しスペース２３内の広い範囲に被吊下物（洗濯物など）を干すことができる。さらに、被吊下物である洗濯物が乾燥した後は、洗濯物をまとめて吊り下げ部３１（４１，５１，６１，７１）に沿って移動させれば、洗濯物を第一収納スペース２２にも第二収納スペース２４にも収納しやすい。
これにより、例えば、第一収納スペース２２と第二収納スペース２４のうち一方を普段使いのクローゼットとし、他方を普段使いではない収納部（例えばロフト、納戸、保管室等）とすれば、日常的には洗濯物を第一収納スペース２２に収納しやすく、例えば衣替えなど非日常的な作業時には衣類を始めとする様々な物品を第二収納スペース２４に収納しやすいし、第一収納スペース２２と第二収納スペース２４との間で、衣類を始めとする様々な物品を入れ替える作業もしやすい。したがって、日常的な作業や季節に応じた作業、物品の入れ替え作業を効率的に行うことが可能となる。
【０００８】
請求項２に記載の発明は、例えば図５，図１１に示すように、請求項１に記載の部屋２０構造において、
前記物干しスペース２３は、当該物干しスペース２３の長さ方向の片側に、窓２９が形成された外壁１ｂ（１ｂ２）に隣接するようにして配置されており、
前記物干し装置３０（４０，５０，６０，７０）における前記吊り下げ部３１（４１，５１，６１，７１）は、前記窓２９の幅方向に沿って配置されていることを特徴とする。
【０００９】
請求項２に記載の発明によれば、物干しスペース２３は、当該物干しスペース２３の長さ方向の片側に、窓２９が形成された外壁１ｂ（１ｂ２）に隣接するようにして配置されているので、窓から物干しスペース２３の広い範囲に亘って採光しやすい。さらに、物干し装置３０（４０，５０，６０，７０）における吊り下げ部３１（４１，５１，６１，７１）は、窓２９の幅方向に沿って配置されているので、洗濯物などの被吊下物に日が当たりやすく、洗濯物が乾きやすくなる。
【００１０】
請求項３に記載の発明は、例えば図３〜図１１に示すように、請求項１又は２に記載の部屋２０構造において、
前記第二収納スペース２４は、前記物干しスペース２３よりも上方の高さ位置に設けられたロフトとされており、
前記物干しスペース２３の天井２３ｂの高さ位置と、前記第二収納スペース２４の天井２４ｃの高さ位置は略等しく設定され、これら天井２３ｂ，２４ｃは面一の状態になっていることを特徴とする。
【００１１】
請求項３に記載の発明によれば、第二収納スペース２４は、物干しスペース２３よりも上方の高さ位置に設けられたロフトとされているので、衣類を始めとする様々な物品である被吊下物を収納保管しておくのに好適である。
さらに、物干しスペース２３の天井２３ｂの高さ位置と、第二収納スペース２４の天井２４ｃの高さ位置は略等しく設定され、これら天井２３ｂ，２４ｃは面一の状態になっているので、物干し装置３０（４０，５０，６０，７０）から第二収納スペース２４への衣類などの収納を容易に行うことができる。すなわち、例えば吊り下げ部３１（４１，５１，６１，７１）に吊り下げられた衣類などを、第二収納スペース２４内にいる人に受け渡すようにしたり、例えば吊り下げ部３１（４１，５１，６１，７１）の長さを長くして第二収納スペース２４内まで到達するようにしたりすることで、物干し装置３０（４０，５０，６０，７０）から第二収納スペース２４への衣類などの移動がしやすい。そのため、物干し装置３０（４０，５０，６０，７０）から第二収納スペース２４への衣類などの収納を容易に行うことができる。
【００１２】
請求項４に記載の発明は、例えば図１１に示すように、請求項３に記載の部屋２０構造において、
前記物干し装置４０における前記吊り下げ部４１は、前記物干しスペース２３の長さ方向一端部に隣接する前記第一収納スペース２２の境界部分Ｂ２の近傍から前記第二収納スペース２４の内部までの長さに設定されていることを特徴とする。
【００１３】
請求項４に記載の発明によれば、物干し装置４０における吊り下げ部４１は、物干しスペース２３の長さ方向一端部に隣接する第一収納スペース２２の境界部分Ｂ２の近傍から第二収納スペース２４の内部までの長さに設定されているので、物干し装置４０から第二収納スペース２４への衣類などの移動がしやすくなり、物干し装置４０から第二収納スペース２４への衣類などの収納を容易に行うことができる。
【００１４】
請求項５に記載の発明は、例えば図４〜図１１に示すように、請求項１〜４のいずれか一項に記載の部屋２０構造において、
前記物干しスペース２３の長さ方向一端部には作業台２３ａが設けられていることを特徴とする。
【００１５】
請求項５に記載の発明によれば、物干しスペース２３の長さ方向一端部には作業台２３ａが設けられているので、この作業台２３ａは、物干しスペース２３と第一収納スペース２２との中継地点として機能することとなる。そのため、物干しスペース２３と第一収納スペース２２との間で衣類などの物品を移動させる際の作業が行いやすくなる。
さらに、洗濯物などの被吊下物を物干し装置３０（４０，５０，６０）に干す場合にも作業台２３ａを利用できるので効率的な作業が可能となる。
【００１６】
請求項６に記載の発明は、例えば図１２〜図１４に示すように、請求項１〜５のいずれか一項に記載の部屋２０構造において、
前記物干し装置５０，６０，７０における前記吊り下げ部５１，６１，７１は、前記物干しスペース２３の長さ方向に沿って長尺に形成されたレール５１ａ，６１ａ，７１ａと、ハンガーＨや物干し器具等が引っ掛けられて前記レール５１ａ，６１ａ，７１ａの長さ方向に沿って移動する複数のハンガーランナー５１ｂ，６１ｂ，７１ｂと、を備えており、
前記物干し装置５０，６０，７０は、電気を駆動源とし、前記複数のハンガーランナー５１ｂ，６１ｂ，７１ｂを前記レール５１ａ，６１ａ，７１ａに沿って走行させる駆動部５３，７３を更に有することを特徴とする。
【００１７】
請求項６に記載の発明によれば、物干し装置５０，６０，７０が、電気を駆動源とし、複数のハンガーランナー５１ｂ，６１ｂ，７１ｂをレール５１ａ，６１ａ，７１ａに沿って走行させる駆動部５３，７３を有するので、複数のハンガーランナー５１ｂ，６１ｂ，７１ｂに引っ掛けられたハンガーＨや物干し器具を、衣類を掛けた状態で、レール５１ａ，６１ａ，７１ａに沿って電動で走行させることができる。これにより、洗濯物を干す場合や、衣類を第一収納スペース２２や第二収納スペース２４に収納する場合にも、ハンガーＨや物干し器具に掛けられた衣類を容易に移動させることができる。
【発明の効果】
【００１８】
本発明によれば、物干しスペースと、第一収納スペースと、第二収納スペースと、物干し装置を利用して、日常的な作業や季節に応じた作業、物品の入れ替え作業を効率的に行うことが可能となる。
【図面の簡単な説明】
【００１９】
【図１】住宅を示す正面図である。
【図２】住宅を示す右側面図である。
【図３】図２に示す住宅のIII−III線断面図である。
【図４】図１に示す住宅のIV−IV線断面図である。
【図５】メインスペース及びウォークインクローゼットを南側から見た場合の断面図である。
【図６】ウォークインクローゼットから物干しスペースを見た場合の斜視図である。
【図７】ウォークインクローゼット及び物干しスペースを西側から見た場合の断面図である。
【図８】物干しスペース及びロフトを北側から見た場合の断面図である。
【図９】メインスペース及び物干しスペースを西側から見た場合の断面図である。
【図１０】メインスペース及び物干しスペースを東側から見た場合の断面図である。
【図１１】物干し装置の変形例を示す図である。
【図１２】物干し装置の変形例を示す図である。
【図１３】物干し装置の変形例を示す図である。
【図１４】物干し装置の変形例を示す図である。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２１】
図１〜図４において符号１は住宅を示す。この住宅１は、一階床２と、一階床２よりも高い位置に設けられた第一スキップ床３と、二階床４と、二階床４よりも高い位置に設けられた第二スキップ床５と、第二スキップ床５よりも高い位置に設けられた第三スキップ床６と、を備えて複数層に構築されている。
各床２〜６上のそれぞれには、居室となる部屋（例えばリビング、ダイニング、寝室、子供部屋等）や、所定の機能が付与された部屋（例えば玄関、廊下、キッチン、浴室、トイレ、洗面所、収納室等）が適宜設けられる。さらに、第二スキップ床５と略等しい高さ位置に床７ａが配置されたバルコニー７が、住宅１の正面に設けられている。また、バルコニー７の上方には、屋根の軒先部１２が位置している。
また、この住宅１の正面には、前後方向にずれて配置された第一正面外壁１ａと、第二正面外壁１ｂと、バルコニー正面外壁１ｃと、袖壁１ｄと、が設けられている。
【００２２】
第一正面外壁１ａは、住宅１正面における左側に、上下階に亘って設けられており、第二正面外壁１ｂ、バルコニー正面外壁１ｃ、袖壁１ｄの前端面よりも前方に位置している。また、左側に寄った位置には、上下方向に長く形成された矩形の窓が設けられている。
【００２３】
第二正面外壁１ｂは、バルコニー７の床７ａよりも下方に位置し、かつ大部分に窓が設けられた第一壁１ｂ１と、バルコニー７の床７ａよりも上方に位置する第二壁１ｂ２と、を備えている。さらに、第二正面外壁１ｂにおける第一壁１ｂ１及び第二壁１ｂ２は、住宅１正面における中央から右側にかけて設けられており、第一正面外壁１ａ、バルコニー正面外壁１ｃ、袖壁１ｄの前端面よりも後方に位置している。
【００２４】
バルコニー正面外壁１ｃは、第二正面外壁１ｂにおける第二壁１ｂ２の前方に間隔をあけて配置された手摺壁７ｂの正面部分であり、住宅１正面における中央から、住宅１の右側面よりも右側に張り出して設けられている。さらに、このバルコニー正面外壁１ｃは、第一正面外壁１ａよりも後方に位置し、第二正面外壁１ｂ及び袖壁１ｄの前端面よりも前方に位置している。
【００２５】
袖壁１ｄの前端面は、第二正面外壁１ｂにおける第一壁１ｂ１の右側端部から前方に突出して設けられており、第一正面外壁１ａ及びバルコニー正面外壁１ｃよりも後方に位置し、第二正面外壁１ｂよりも前方に位置している。
【００２６】
図３は、図２におけるIII−III線断面図であり、第一正面外壁１ａの室内側には、一階床２上に設けられた低天井収納室１０と、第一スキップ床３上に設けられた部屋１１と、第三スキップ床６上に設けられたロフト２４と、が設けられている。
低天井収納室１０及びロフト２４の天井高は、０．８ｍ〜１．４ｍの範囲で適宜変更可能である。この０．８ｍ〜１．４ｍの天井高とは、人が低天井収納室及びロフト２４に入って、何とか作業ができる最低限の高さを確保するための高さ範囲であり、かつ、このように天井高を必要最小限に抑えることで、住宅１の高さが高くなることによって隣接する建物に及ぼす日照減少等の影響を極力少なくすることができる高さ範囲である。
一方、部屋１１の天井高は、建築基準法に基づく一般的な天井高に設定されており、本実施形態においては例えば２．１ｍ以上とされている。なお、当該第一スキップ床３上の部屋１１は、一階床２と二階床４とを接続する階段８の途中に、第一スキップ床３と略等しい高さ位置に設けられた踊り場８ａから出入りすることができる。
【００２７】
なお、第二正面外壁１ｂにおける第一壁１ｂ１の室内側には、リビングとなる部屋１３が設けられている（図８参照。）。この部屋１３は、一階床２と第二スキップ床５との間に設けられるものであり、その天井高は、上記の部屋１１よりも高くなるように設定されている。すなわち、この住宅１のリビングとなる部屋１３は、他の部屋よりも高天井に設定された部屋となっており、高天井空間を好む居住者にとって居心地が良くなっている。
【００２８】
図４は、図１におけるIV−IV線断面図であり、住宅１の二階から上の間取りを表している。住宅１の二階には、階段８の下り口から続く廊下や複数の部屋が適宜設けられている。また、住宅１の二階には、二階床４と第二スキップ床５とを接続する数段の階段９が設けられている。
第二スキップ床５上には、主寝室として機能する部屋２０が設けられており、階段９を上った先には、部屋２０前の踊り場（ランディングとも言う）９ａがある。当該踊り場９ａと部屋２０との間の壁２０ｂには、図４，図５に示すように、引き戸又は開き戸付きの出入口２０ａが形成されている。
【００２９】
第二スキップ床５上の主寝室として機能する部屋２０は、図４〜図１０に示すように、メインスペース２１と、第一収納スペースとしてのウォークインクローゼット２２と、物干しスペース２３と、第二収納スペースとしての上記のロフト２４と、を備えている。
なお、図４中における一点鎖線Ｂ１，Ｂ２は、メインスペース２１と物干しスペース２３との境界（境界Ｂ１）、ウォークインクローゼット２２と物干しスペース２３との境界（境界Ｂ２）をそれぞれ示している。
【００３０】
メインスペース２１は、部屋２０を主寝室として機能させるためのベッドなどの寝具が設置されるスペースであり、部屋２０において最も広い専有面積に設置されている。また、このメインスペース２１は、出入口２０ａを開放した場合に、踊り場９ａと連通する空間となっている。
【００３１】
ウォークインクローゼット２２は、衣類や洗濯が可能なその他多くの布製品（タオル、ハンカチ、シーツ、毛布、布団等々）、身に着ける小物類（帽子、メガネ、バッグ）を始め、様々な物品（被吊下物）を収納できるスペースである。物干しスペース２３又はバルコニー７で乾燥させられた衣類などの洗濯物（被吊下物）を収納する作業（日常的な作業）を行うスペースとなっている。なお、ウォークインクローゼット２２では、乾燥させられた衣類などを畳む作業が行われてもよい。
このウォークインクローゼット２２は、メインスペース２１の東側に配置されており、仕切壁２５によってメインスペース２１と仕切られている。
【００３２】
仕切壁２５は、東西方向よりも南北方向に長く形成されており、メインスペース２１とウォークインクローゼット２２との間に配置されている。なお、この仕切壁２５は、部屋２０の北側２０ｂの壁から、物干しスペース２３との境界を示す一点鎖線Ｂ１，Ｂ２までの幅寸法に設定されている。
また、仕切壁２５は、図５に示すように、第二スキップ床５から部屋２０の天井（メインスペース２１の天井２１ｂ又はウォークインクローゼット２２の天井の天井２２ａ）までの高さに設定され、メインスペース２１とウォークインクローゼット２２とを高さ方向においても仕切っている状態となっているが、これに限られるものではなく、ウォークインクローゼット２２の天井２２ａの高さ位置よりも高さ寸法を低くすることで、仕切壁２５と天井２２ａとの間に隙間が形成されるようにしてもよい。
この仕切壁２５のうち、部屋２０の出入口２０ａ側端部には、図４，図９に示すように、メインスペース２１とウォークインクローゼット２２とを連通する出入口２５ａが形成されており、出入口２５ａには、当該出入口２５ａを開閉する引戸２５ｂが設けられている。
引戸２５ｂは、図６に示すように、ウォークインクローゼット２２側の面が、例えば鏡によって構成されるなどして姿見として機能している。
【００３３】
なお、ウォークインクローゼット２２は、居住者が内部に歩いて立ち入ることが想定されたクローゼットであるが、このウォークインクローゼット２２に替えて、居住者が内部に歩いて立ち入らないことが想定された単なるクローゼットが部屋２０に設けられるものとしてもよい。この場合、部屋２０に対するクローゼットの専有面積を小さくすることができるので、その分、メインスペース２１の面積を大きくして居住性を高めるようにしてもよい。
【００３４】
部屋２０における東側の壁２０ｃのうちウォークインクローゼット２２の壁を構成する部位の物干しスペース２３側の端部には、仕切壁２５側に突出する袖壁２６が設けられている。袖壁２６における物干しスペース２３側の面と、仕切壁２５における物干しスペース２３側の面は、ウォークインクローゼット２２と物干しスペース２３との境界を示す一点鎖線Ｂ２の延長線上に位置している。
そして、袖壁２６の突出方向側端面と仕切壁２５の側面との間が、ウォークインクローゼット２２と物干しスペース２３との間の出入口となっている。
【００３５】
なお、袖壁２６と第二正面外壁１ｂにおける第二壁１ｂ２との間には、図６〜図８に示すように、作業台２３ａと、棚２３ｃと、ハンガーパイプ２３ｄと、が架け渡されるようにして設けられている。
作業台２３ａは、例えば第二スキップ床５から６００〜８００ｍｍ程度の、比較的低い高さ位置に設けられており、棚２３ｃは、作業台２３ａの上方であって、かつ物干しスペース２３の天井２３ｂ近傍に上下２段で設けられている。ハンガーパイプ２３ｄは、下段の棚２３ｃの直下であって、かつ作業台２３ａよりも下段の棚２３ｃに近くなるような高さに設けられている。
作業台２３ａとハンガーパイプ２３ｄとの間隔は、例えばハンガーパイプ２３ｄに、衣類等を吊るしたハンガーを引っ掛けても衣類等の下端部が作業台２３ａに達しない、又は達しにくい寸法に設定されているものとする。
作業台２３ａの下側や棚２３ｃの上には、例えば洗濯物（被吊下物）を干す際に使用される種々の道具を収納しておくことができる。
【００３６】
図５〜図７に示すように、袖壁２６と部屋２０の北側の壁２０ｂとの間には、棚板２７及びハンガーパイプ２８が架け渡されて設けられている。
棚板２７は、図６に示すように、ウォークインクローゼット２２東側の壁（部屋２０の東側の壁２０ｃ）から前方に突出して設けられ、かつ、壁（壁２０ｃ）側の基端部から突出方向側端部にかけて厚み寸法が一定に設定されたものである。当該棚板２７の突出方向側端部は、当該突出方向側端部の前端面における幅方向に沿って形成された溝部２７ａと、溝部２７ａの下側に位置し、前端部に、上方に突出してハンガーＨが引っ掛けられる下側突出片２７ｂと、溝部２７ａの上側に位置する上側突出片２７ｃと、を備えて略凹型に形成されている。
なお、下側突出片２７ｂの先端は上方に突出しており、ハンガーＨや物干し器具が引っ掛けられた場合の引掛部として機能する。そのため、下側突出片２７ｂは、ハンガーＨ等に吊るされる衣類等の重みに十分に耐えられるように補強されている。
ハンガーパイプ２８は、棚板２７の下方に間隔を空けて配置されており、ハンガーＨや物干し器具が引っ掛けられる。
【００３７】
物干しスペース２３は、図６〜図１０に示すように、当該物干しスペース２３に設置された物干し装置３０に対し、洗濯した衣類などの洗濯物（被吊下物）を乾燥させるために干す作業（日常的な作業）を行うためのスペースである。なお、物干しスペース２３では、例えば作業台２３ａで、乾燥させられた衣類などを畳む作業が行われてもよい。
また、この物干しスペース２３は、南北方向よりも東西方向に長くなるように形成されている。換言すれば、物干しスペース２３は東西方向に長いため、南側に面する面積が広くなっている。
さらに、物干しスペース２３は、メインスペース２１とウォークインクローゼット２２双方の南側に配置されており、これらメインスペース２１及びウォークインクローゼット２２に対し、建具を介さずに連通している。つまり、メインスペース２１とウォークインクローゼット２２は、物干しスペース２３に向かって開口しており、その開口部には、建具が設けられていない状態となっている。
【００３８】
物干しスペース２３の南側には、第二正面外壁１ｂにおける第二壁１ｂ２が設けられており、当該第二壁１ｂ２には、物干しスペース２３とバルコニー７とを往来可能に連通する掃き出し窓２９が設けられている。
この掃き出し窓２９は、透光性及び透視性を有する三枚の窓障子があり、二枚の窓障子分の開口を形成できる三連窓とされている。なお、この掃き出し窓２９の幅寸法（東西方向の寸法）は、第二壁１ｂ２の幅寸法の半分以上を占めるように設定されており、物干しスペース２３に太陽光を多く取り込むことができるようになっている。つまり、物干しスペース２３は、上述のように南側に面する面積が広くなっているため、本実施形態の掃き出し窓２９のような幅の広い窓を設けることができるようになっており、その結果、太陽光を、物干しスペース２３に対して広い範囲で差し込ませることが可能となっている。
【００３９】
また、掃き出し窓２９を介して物干しスペース２３と隣り合うバルコニー７は、物干しスペース２３と同様に、洗濯した衣類などの洗濯物を乾燥させるために干す作業（日常的な作業）を行うことができる。特に、洗濯物の量が多い場合には、バルコニー７にも物干しスペース２３にも洗濯物を干すことができるので好ましい。また、バルコニー７の上方には、屋根の軒先部１２が位置しているので、突然の雨でも洗濯物が濡れにくい。
【００４０】
ロフト２４は、物干しスペース２３の西側に位置し、上述のように第三スキップ床６上に設けられている。ロフト２４の物干しスペース２３側には、ロフト２４と物干しスペース２３とを往来可能に連通する出入口としての開口部２４ａが形成されている。当該開口部２４ａには建具が設けられておらず、常に開放された状態となっている。また、開口部２４ａの下縁には框材２４ｂが設けられている。
【００４１】
このロフト２４は、第一スキップ床３上に設けられた部屋１１の上方に位置することで、物干しスペース２３よりも半階上がった状態となっている。また、このロフト２４の天井２４ｃの高さ位置と、物干しスペース２３の天井２３ｂの高さ位置は略等しく設定されており、かつ、これらの天井２４ｃ，２３ｂは面一の状態になっている。なお、本実施形態においては、ウォークインクローゼット２２の天井２２ａの高さ位置も、ロフト２４及び物干しスペース２３の天井２４ｃ，２３ｂの高さ位置と略等しく設定され、面一の状態となっているものとする。メインスペース２１の天井２１ｂは、ウォークインクローゼット２２の天井２２ａ、物干しスペース２３の天井２３ｂ、ロフト２４の天井２４ｃよりも高い位置に設けられている。
【００４２】
ロフト２４は、低天井収納部として機能するスペースであり、衣類や洗濯が可能なその他多くの布製品、身に着ける小物類を始め、様々なものを収納できるようになっている。特に、ウォークインクローゼット２２内に収納された衣類などの衣替え（季節に応じた作業）や物品の入れ替え作業を行った際に、使用しない衣類などが収納されるスペースとして機能する。反対に、ウォークインクローゼット２２には、衣替えや物品の入れ替え作業を行った際に、これから使用する衣類などが収納されることになる。すなわち、衣替えや物品の入れ替え作業の際は、ロフト２４とウォークインクローゼット２２との間で、衣類を始めとする収納物の入れ替えが行われることになる。
なお、ロフト２４の床を構成する第三スキップ床６上は、昇降空間Ｓ２に立ったまま作業する場合の作業台として利用することができる。
【００４３】
なお、部屋２０のうち、ウォークインクローゼット２２の天井高と、物干しスペース２３の天井高と、ロフト２４の天井高は等しく設定されている。
これに対して、メインスペース２１の天井高は、ウォークインクローゼット２２等の天井高よりも高く設定されている。また、メインスペース２１における物干しスペース２３側の壁には、図９，図１０に示すように、物干しスペース２３の天井２３ｂの高さ位置と略等しい高さ位置に、北側の壁２０ｂ側に突出する突出部２１ａが設けられている。
【００４４】
物干しスペース２３に設置される物干し装置３０は、図８〜図１０に示すように、洗濯物を干すハンガーなどの物干し用器具が吊り下げられる吊り下げ部３１と、物干しスペース２３の天井２３ｂに取り付けられて吊り下げ部３１を支持する支持部３２と、を備える。
本実施形態における吊り下げ部３１は、長尺棒状に形成された所謂物干し竿であり、物干しスペース２３の天井２３ｂよりも下方に配置されている。
本実施形態における支持部３２は、物干しスペース２３の天井２３ｂに、下方に吊り下がるようにして設けられた支持装置である。支持部３２の下端部には、物干し竿である吊り下げ部３１の端部を受ける環状の受部が設けられている。
【００４５】
物干し装置３０について、より詳細に説明すると、吊り下げ部３１の長さは、物干しスペース２３の長さ寸法（東西方向の長さ寸法）よりも短く、掃き出し窓２９の幅寸法と略等しく設定されている。
また、吊り下げ部３１の長さ方向一端部は、作業台２３ａの前の作業空間Ｓ１における上方に位置しており、長さ方向他端部は、ロフト２４の開口部２４ａ前の昇降空間Ｓ２における上方に位置している。
より詳細に説明すると、作業台２３ａの前端部付近から仕切壁２５の軸心における延長線上（図４中、一点鎖線で示す。）までの長さが、住宅１を建築する際の基準寸法（モジュール）と略等しく設定されており、物干しスペース２３における作業空間Ｓ１の東西方向の長さが、この基準寸法と略等しい。昇降空間Ｓ２も同様に、ロフト２４側端部からの長さが上記の基準寸法と略等しく設定されている。そして、吊り下げ部３１の長さ方向一端部は、作業空間Ｓ１内のうち仕切壁２５の軸心における延長線上の付近に位置しており、吊り下げ部３１の長さ方向他端部は、昇降空間Ｓ２内のうち物干しスペース２３中央寄りに位置している。
ここで、基準寸法は、本実施形態においては９１０ｍｍに設定されているが、これに限られるものではなく、例えば１０００ｍｍでもよいし、その他の寸法でもよい。住宅１は、この基準寸法に基づいて建築されている。
【００４６】
支持部３２は、吊り下げ部３１の長さ方向両端部をそれぞれ支持できるように、物干しスペース２３の天井２３ｂのうち、作業空間Ｓ１の上方に位置する部位と、昇降空間Ｓ２の上方に位置する部位のそれぞれに取り付けられている。
また、支持部３２の下端部は、掃き出し窓２９の上端部よりも下方に位置している。そのため、吊り下げ部３１の端部を受ける受部も、掃き出し窓２９の上端部よりも下方に位置している。つまり、本実施形態においては、吊り下げ部３１の高さ位置も、掃き出し窓２９の上端部よりも下方に位置していることとなる。
ただし、吊り下げ部３１の高さ位置については、支持部３２の長さ寸法に応じて適宜変更される。また、例えば支持部３２が長さ調整可能に形成されているものであれば、これに合わせて吊り下げ部３１の高さ位置も調整が可能となる。
【００４７】
続いて、以上のように構成された部屋２０及びロフト２４で作業（日常的な作業、季節に応じた作業、物品の入れ替え作業）を行う場合の手順について説明する。なお、以下で説明する手順は、あくまでも一例であって、順番を変更できる作業については適宜変更可能である。
【００４８】
日常的な作業を行うにあたって作業者は、衣類などの洗濯物を洗濯した後に、まず、濡れている洗濯物を物干しスペース２３に持って来て、作業空間Ｓ１にて洗濯物をハンガーや物干し器具に掛ける。その際、作業台２３ａやハンガーパイプ２３ｄを適宜利用する。ウォークインクローゼット２２の棚板２７における下側突出片２７ｂやハンガーパイプ２８を利用してもよい。
【００４９】
続いて、ハンガーや物干し器具に掛けられた洗濯物を、物干し装置３０における吊り下げ部３１に引っ掛けて吊り下げる。全ての洗濯物を同様の作業で吊り下げ部３１に引っ掛けて吊り下げるようにする場合、ハンガーや物干し器具に掛けられた洗濯物を、吊り下げ部３１の長さ方向に沿って手の届く範囲でスライド移動させ、順次ロフト２４側へと送るようにすれば、作業者は、作業空間Ｓ１から動かずに済むので効率が良い。
【００５０】
続いて、作業者は、吊り下げ部３１に引っ掛けられて吊り下げられた洗濯物を、吊り下げ部３１の長さ方向に間隔を空けて配置する。
なお、洗濯物の量が多い場合には、吊り下げ部３１に引っ掛けられて吊り下げられた洗濯物を、掃き出し窓２９を通じてバルコニー７に持って行き、バルコニー７で物干し作業を行うようにしてもよい。そして、バルコニー７に干しきれなかった洗濯物を、吊り下げ部３１に引っ掛けて吊り下げ、吊り下げ部３１の長さ方向に間隔を空けて配置する。
【００５１】
洗濯物が乾いた後は、吊り下げ部３１の長さ方向に間隔を空けて配置された洗濯物を、吊り下げ部３１の長さ方向に沿ってロフト２４側から作業空間Ｓ１側までスライド移動させる。作業者は、作業空間Ｓ１側に集められた洗濯物を、作業台２３ａで畳む作業を行うか、ウォークインクローゼット２２内に持ち込んで畳む作業を行う。その際、ハンガーパイプ２３ｄや、ウォークインクローゼット２２の棚板２７における下側突出片２７ｂやハンガーパイプ２８を利用してもよい。そして、ウォークインクローゼット２２内の収納スペースに収納する。
なお、バルコニー７で干した洗濯物がある場合は、吊り下げ部３１を空けた後に、掃き出し窓２９を通じて洗濯物をバルコニー７から吊り下げ部３１へと一旦移動させてから、作業空間Ｓ１側までスライド移動させるようにする。その後、作業者は、作業台２３ａ又はウォークインクローゼット２２で畳む作業を行う。
以上のようにして部屋２０で日常的な作業を行うことができる。
【００５２】
次に、季節に応じた作業や物品の入れ替え作業を行うにあたって作業者は、まず、ウォークインクローゼット２２に収納された衣類や布製品、小物類を始めとする様々な物品のうち、ロフト２４に収納する物品（以下、収納物品）を、作業台２３ａに置いたり、吊り下げ部３１に吊り下げたりする。
【００５３】
続いて、吊り下げ部３１に吊り下げることのできる収納物品を、吊り下げ部３１のロフト２４側端部までスライド移動させる。
また、吊り下げ部３１に吊り下げることのできない収納物品は、ひとまず作業台２３ａに置いたままとしてもよいし、ロフト２４の近傍まで運んでもよい。なお、本実施形態においては、ロフト２４の近傍まで運ぶものとする。
【００５４】
続いて、収納物品をロフト２４内に移動させ、作業者は、昇降空間Ｓ２からロフト２４内に移動する。ロフト２４内では、収納物品とロフト２４内に収納された物品（以下、取り出し物品）の入れ替えを行う。すなわち、取り出し物品を、ロフト２４内の収納スペースから取り出し、収納物品を、ロフト２４内の収納スペースに収納する。
収納スペースから取り出された取り出し物品は、ロフト２４の開口部２４ａ付近に一旦置くか、吊り下げ部３１に吊り下げることのできるものは、吊り下げ部３１のロフト２４側端部に吊り下げるようにする。
【００５５】
続いて、吊り下げ部３１に吊り下げることのできる取り出し物品を、吊り下げ部３１のウォークインクローゼット２２側端部までスライド移動させる。
また、吊り下げ部３１に吊り下げることのできない取り出し物品は、ひとまずロフト２４の開口部２４ａ付近に置いたままとしてもよいし、ウォークインクローゼット２２の近傍まで運んでもよい。なお、本実施形態においては、ウォークインクローゼット２２の近傍まで運ぶものとする。
【００５６】
続いて、取り出し物品を、ウォークインクローゼット２２内に移動させ、取り出し物品を、ウォークインクローゼット２２内の収納スペースに収納する。
以上のようにして部屋２０及びロフト２４で季節に応じた作業や物品の入れ替え作業を行うことができる。
【００５７】
日常的な作業や季節に応じた作業、物品の入れ替え作業を行うにあたって、物干しスペース２３、特に作業空間Ｓ１は、作業の流れの要所となっている。そのため、作業空間Ｓ１には、作業時における使い勝手を向上させるために作業台２３ａやハンガーパイプ２３ｄが設けられ、物干しスペース２３とウォークインクローゼット２２との間に建具が設けられていない状態となっている。すなわち、作業者は、作業空間Ｓ１を中心にして、物干し装置３０における吊り下げ部３１と、ウォークインクローゼット２２内の棚板２７における下側突出片２７ｂ及びハンガーパイプ２８との間で衣類等の位置替え作業を行うことができるので、衣類等を持ったままの移動距離を短くすることができる。なお、作業者が複数である場合には、各作業者の移動距離を極めて短くすることができる。
さらに、物干しスペース２３とロフト２４との間に建具が設けられていないため、作業時におけるロフト２４の使い勝手を向上させることができる。すなわち、作業者は、昇降空間Ｓ２を中心にして、物干し装置３０における吊り下げ部３１と、ロフト２４との間で衣類等の位置替え作業を行うことができるので、衣類等を持ったままの移動距離を短くすることができる。なお、作業者が複数である場合には、各作業者の移動距離を極めて短くすることができる。
なお、メインスペース２１と物干しスペース２３との間も建具が設けられていない状態となっているので、出入口２０ａから物干しスペース２３へと移動する際に、例えば洗濯物などを持っていても移動しやすい。
【００５８】
また、ウォークインクローゼット２２においては、日常的な作業の一環として複数の衣類の中から着用する衣類の選定作業が行いやすくなっている。
すなわち、着用の候補となる複数の衣類を、棚板２７における下側突出片２７ｂに一時的に引っ掛けておき、引戸２５ｂにおける鏡の面を利用して、着用する衣類を選定できるようになっている。
【００５９】
本実施の形態によれば、物干しスペース２３に隣接するウォークインクローゼット２２及びロフト２４は、物干しスペース２３に対して建具を介さずに連通しているので、物干しスペース２３からは、ウォークインクローゼット２２とロフト２４に対して行き来がしやすい。
物干し装置３０は、少なくとも物干しスペース２３の長さ方向一端部近傍から他端部近傍までの長さに設定され、かつ洗濯物が吊り下げられる吊り下げ部３１を有するので、物干しスペース２３内の広い範囲に洗濯物を干すことができる。さらに、洗濯物が乾燥した後は、洗濯物をまとめて吊り下げ部３１に沿って移動させれば、洗濯物をウォークインクローゼット２２にもロフト２４にも収納しやすい。
これにより、日常的には洗濯物を第一収納スペース２２に収納しやすく、例えば衣替えなど非日常的な作業時には衣類を始めとする様々な物品を第二収納スペース２４に収納しやすいし、第一収納スペース２２と第二収納スペース２４との間で、衣類を始めとする様々な物品を入れ替える作業もしやすい。したがって、日常的な作業や季節に応じた作業、物品の入れ替え作業を効率的に行うことが可能となる。
【００６０】
また、物干しスペース２３は、当該物干しスペース２３の長さ方向の片側に、掃き出し窓２９が形成された第二正面外壁１ｂの第二壁１ｂ２に隣接するようにして配置されているので、掃き出し窓２９から物干しスペース２３の広い範囲に亘って採光しやすい。さらに、物干し装置３０における吊り下げ部３１は、掃き出し窓２９の幅方向に沿って（横切るようにして）配置されているので、洗濯物に日が当たりやすく、洗濯物が乾きやすくなる。
【００６１】
また、第二収納スペースであるロフト２４は、衣類を始めとする様々な物品を収納保管しておくのに好適である。
さらに、物干しスペース２３の天井２３ｂの高さ位置と、ロフト２４の天井２４ｃの高さ位置は略等しく設定され、これら天井２３ｂ，２４ｃは面一の状態になっているので、例えば吊り下げ部３１に吊り下げられた衣類などを、ロフト２４内にいる人に受け渡すようにすることで、物干し装置３０からロフト２４への衣類などの移動がしやすく、物干し装置３０からロフト２４への衣類などの収納を容易に行うことができる。
【００６２】
また、物干しスペース２３の長さ方向一端部には作業台２３ａが設けられているので、この作業台２３ａは、物干しスペース２３とウォークインクローゼット２２との中継地点として機能することとなる。そのため、物干しスペース２３とウォークインクローゼット２２との間で衣類などの物品を移動させる際の作業が行いやすくなる。
さらに、洗濯物を物干し装置３０に干す場合にも作業台２３ａを利用できるので効率的な作業が可能となる。
【００６３】
また、物干しスペース２３の屋外側にはバルコニー７が設けられ、掃き出し窓２９を通じて行き来ができるので、洗濯物の量が多い場合は、バルコニー７にも物干しスペース２３にも洗濯物を干すことができるので好ましい。
なお、バルコニー７にも、洗濯物を干すための物干し装置が設けられているものとするが、その構成は、物干しスペース２３に設けられる物干し装置３０とは異なるものであってもよい。
【００６４】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
また、以下の各変形例において、上記の実施形態と共通する要素については、共通の符号を付し、説明を省略又は簡略する。
【００６５】
〔変形例１〕
本変形例における物干し装置４０は、図１１に示すように、洗濯物を干すハンガーなどの物干し用器具が吊り下げられる吊り下げ部４１と、物干しスペース２３の天井２３ｂに取り付けられて吊り下げ部４１を支持する支持部４２と、を備える。
本実施形態における吊り下げ部４１は、長尺棒状に形成された所謂物干し竿であり、物干しスペース２３の天井２３ｂよりも下方に配置されている。
本実施形態における支持部４２は、物干しスペース２３の天井２３ｂに、下方に吊り下がるようにして設けられた支持装置である。支持部４２の下端部には、物干し竿である吊り下げ部４１の端部を受ける受部（図示省略）が設けられている。
【００６６】
物干し装置４０について、より詳細に説明すると、吊り下げ部４１の長さは、物干しスペース２３の長さ寸法（東西方向の長さ寸法）よりも長く設定されている。
また、吊り下げ部４１の長さ方向一端部は、作業台２３ａの前の作業空間Ｓ１における上方に位置しており、長さ方向他端部は、ロフト２４内に位置している。
【００６７】
支持部４２は、吊り下げ部４１の長さ方向両端部をそれぞれ支持できるように、物干しスペース２３の天井２３ｂのうちの作業空間Ｓ１の上方に位置する部位と、ロフト２４の天井２４ｃのそれぞれに取り付けられている。
また、支持部４２の下端部は、掃き出し窓２９の上端部よりも下方に位置し、吊り下げ部４１の高さ位置も、掃き出し窓２９の上端部よりも下方に位置している。
【００６８】
なお、本変形例における物干し装置４０の吊り下げ部４１は、物干しスペース２３の長さ寸法よりも長く設定されているため撓みが生じる場合があるが、必要に応じて支持部４２を、吊り下げ部４１の長さ方向中央付近（昇降空間Ｓ２付近の上方）に追加してもよい。この場合に、吊り下げ部４１に吊り下げられた物品を、吊り下げ部４１の長さ方向に沿ってスライド移動させる際は、当該追加された支持部４２の位置で物品の掛け替え作業が行われる。
【００６９】
本変形例によれば、物干し装置４０における吊り下げ部４１が、物干しスペース２３のウォークインクローゼット２２側端部からロフト２４内に配置されているので、吊り下げ部４１に吊り下げることのできる物品を、物干しスペース２３のウォークインクローゼット２２側端部とロフト２４の内部との間でスライド移動させることが可能となる。これにより、物干しスペース２３とロフト２４との間での物品の移動を容易に行うことができるので、季節に応じた作業や物品の入れ替え作業を効率良く行うことができる。つまり、物干し装置４０における吊り下げ部４１は、物干しスペース２３の長さ方向一端部近傍からロフト２４の内部までの長さに設定されているので、物干し装置４０からロフト２４への衣類などの移動がしやすくなり、物干し装置４０からロフト２４への衣類などの収納を容易に行うことができる。
【００７０】
〔変形例２〕
本変形例における物干し装置５０は、電気を動力源とした電動物干し装置であり、図１２に示すように、洗濯物を干すハンガーなどの物干し用器具が吊り下げられる吊り下げ部５１と、物干しスペース２３の天井２３ｂに取り付けられて吊り下げ部５１を支持する支持部５２と、駆動部５３と、を備える。
【００７１】
吊り下げ部５１は、レール５１ａと、複数のハンガーランナー５１ｂと、を備え、必要に応じてレールジョイント５１ｃが用いられる。
レール５１ａは、複数のハンガーランナー５１ｂの移動経路を構成するものであり、支持部５２によって天井２３ｂに取り付けられ、かつ物干しスペース２３の長さ方向に沿って配置されている。なお、レール５１ａの端部には、複数のハンガーランナー５１ｂの移動を規制するとともに、駆動部５３が装着される被装着部となるエンド部５４が設けられている。
複数のハンガーランナー５１ｂは、ハンガーや物干し器具等が引っ掛けられ、レール５１ａの長さ方向に沿って移動するものである。なお、これら複数のハンガーランナー５１ｂは、駆動部５３によってレール５１ａに沿って走行駆動する。
レールジョイント５１ｃは、レール５１ａの長さが足りず、レール５１ａを継ぎ足す場合に用いられる。すなわち、複数のハンガーランナー５１ｂの走行を妨げない状態で、一方のレール５１ａと他方のレール５１ａとを接続することができる。
【００７２】
レール５１ａの長さは、物干しスペース２３の長さ寸法（東西方向の長さ寸法）よりも短く、掃き出し窓２９の幅寸法よりも長く設定されている。ただし、これに限られるものではなく、物干しスペース２３の長さ寸法（東西方向の長さ寸法）よりも長く設定されていてもよい。すなわち、レール５１ａの長さ方向一端部が、作業台２３ａの前の作業空間Ｓ１における上方に位置しており、長さ方向他端部が、ロフト２４内に位置するような長さに設定されていてもよい。
【００７３】
支持部５２は、レール５１ａの上端部に、レール５１ａの長さ方向両側に係合するように装着されている。また、支持部５２は、レール５１ａの長さ方向に間隔を空けて複数設けられている。
この支持部５２は、レール５１ａの両側面よりも側方に突出する部位５２ａを備えており、当該突出する部位５２ａがビス等の取付具により天井２３ｂに取り付けられることで、物干し装置５０全体を天井２３ｂに取り付けることができるようになっている。
【００７４】
駆動部５３は、電気を駆動源とし、複数のハンガーランナー５１ｂの走行を制御することが可能となっている。
より具体的には、複数のハンガーランナー５１ｂを、レール５１ａの長さ方向一端部側及び他端部側に寄せるように走行させることができるとともに、複数のハンガーランナー５１ｂを等間隔に配置することができるようになっている。すなわち、複数のハンガーランナー５１ｂに引っ掛けられたハンガーや物干し器具を、物干しスペース２３のロフト２４側やウォークインクローゼット２２側に寄せたり、レール５１ａの長さ方向に等間隔に配置したりすることができる。換言すれば、駆動部５３の駆動制御によって、複数のハンガーランナー５１ｂの手繰り寄せ動作と、繰り出し操作を行うことができるとともに、複数のハンガーランナー５１ｂの間隔を均等（例えば、７０ｍｍピッチ）にすることができる。
なお、駆動部５３による複数のハンガーランナー５１ｂの走行制御は、図示しないリモコンによって作業者が操作することができる。
【００７５】
本変形例によれば、駆動部５３の駆動制御によって、複数のハンガーランナー５１ｂの手繰り寄せ動作と、繰り出し動作を行うことができるとともに、複数のハンガーランナー５１ｂの間隔を均等にすることができるので、ハンガーに掛けられた洗濯物を、レール５１ａの長さ方向に沿って電動で容易に移動させることができる。これにより、日常的な作業を行う際に、洗濯物を均等な間隔で干して乾燥させたり、季節に応じた作業や物品の入れ替え作業を行う際に、衣類などをウォークインクローゼット２２とロフト２４との間を容易に移動させたりすることができる。つまり、複数のハンガーランナー５１ｂに引っ掛けられたハンガーや物干し器具を、衣類を掛けた状態で、レール５１ａに沿って電動で走行させることができ、これにより、洗濯物を干す場合や、衣類をウォークインクローゼット２２やロフト２４に収納する場合にも、ハンガーや物干し器具に掛けられた衣類を容易に移動させることができる。その結果、日常的な作業や季節に応じた作業、物品の入れ替え作業を効率的に行うことが可能となる。
【００７６】
〔変形例３〕
本変形例における物干し装置６０は、電気を動力源とした電動物干し装置であり、図１３に示すように、洗濯物を干すハンガーＨなどの物干し用器具が吊り下げられる吊り下げ部６１と、物干しスペース２３の天井２３ｂに取り付けられて吊り下げ部６１を支持する支持部６２と、駆動部（図示省略）と、を備える。
【００７７】
吊り下げ部６１は、レール６１ａと、複数のハンガーランナー（図示省略）と、を備えている。
レール６１ａは、複数のハンガーランナーの移動経路を構成するものであり、長円を描くように形成されることで無端状となっている。また、レール６１ａは、支持部６２によって天井２３ｂに取り付けられ、かつ物干しスペース２３の長さ方向に沿って配置されている。
複数のハンガーランナーは、ハンガーや物干し器具等が引っ掛けられ、レール６１ａの長さ方向に沿って移動するものである。また、複数のハンガーランナーは、互いに間隔を空けて配置されており、衣類などを等間隔に干せるようになっている。
なお、これら複数のハンガーランナーは、駆動部によってレール６１ａに沿って走行駆動する。また、本変形例における複数のハンガーランナーは、手繰り寄せ動作と繰り出し動作を行わないように構成されている。
【００７８】
支持部６２は、レール６１ａの上端部に係合するように装着されている。また、支持部６２は、レール６１ａの長さ方向に間隔を空けて複数設けられている。
この支持部６２は、レール６１ａの両側面よりも側方に突出する部位６２ａを備えており、当該突出する部位６２ａがビス等の取付具により天井２３ｂに取り付けられることで、物干し装置６０全体を天井２３ｂに取り付けることができるようになっている。
【００７９】
駆動部は、電気を駆動源とし、複数のハンガーランナーの走行を制御することが可能となっている。すなわち、複数のハンガーランナーを、レール６１ａに沿って長円を描くようにして走行させることができる。
なお、駆動部による複数のハンガーランナー６１ｂの走行制御は、図示しないリモコンによって作業者が操作することができる。
【００８０】
本変形例によれば、吊り下げ部６１におけるレール６１ａが無端状に形成されているとともに、駆動部の駆動制御によって、互いに間隔を空けたままレール６１ａに沿って走行させることができる。その際、駆動部の駆動制御によって複数のハンガーランナーを手繰り寄せたり、反対に繰り出したりする動作を行う必要がない。これにより、日常的な作業を行う際に、洗濯物を均等な間隔で干して乾燥させることはもちろんのこと、季節に応じた作業や物品の入れ替え作業を行う際に、衣類などをウォークインクローゼット２２とロフト２４との間を容易に移動させることができる。つまり、複数のハンガーランナー６１ｂに引っ掛けられたハンガーＨや物干し器具を、衣類を掛けた状態で、レール６１ａに沿って電動で走行させることができ、これにより、洗濯物を干す場合や、衣類をウォークインクローゼット２２やロフト２４に収納する場合にも、ハンガーＨや物干し器具に掛けられた衣類を容易に移動させることができる。その結果、日常的な作業や季節に応じた作業、物品の入れ替え作業を効率的に行うことが可能となる。
【００８１】
〔変形例４〕
本変形例における物干し装置７０は、電気を動力源とした電動物干し装置であり、図１４に示すように、洗濯物を干すハンガーなどの物干し用器具が吊り下げられる吊り下げ部７１と、物干しスペース２３の天井２３ｂに取り付けられて吊り下げ部７１を支持する支持部７２と、駆動部７３と、を備える。
【００８２】
吊り下げ部７１は、レール７１ａと、複数のハンガーランナー７１ｂと、を備える。
レール７１ａは、複数のハンガーランナー７１ｂの移動経路を構成するものであり、支持部７２によって天井２３ｂに、天井２３ｂから下方に間隔を空けて取り付けられ、かつ物干しスペース２３の長さ方向に沿って配置されている。
複数のハンガーランナー７１ｂは、ハンガーや物干し器具等が引っ掛けられ、レール７１ａの長さ方向に沿って移動するものである。なお、これら複数のハンガーランナー７１ｂは、二つの駆動部７３によってレール７１ａに沿って走行駆動する。
【００８３】
レール７１ａの長さは、物干しスペース２３の長さ寸法（東西方向の長さ寸法）よりも短く、掃き出し窓２９の幅寸法と略等しく設定されている。ただし、これに限られるものではなく、物干しスペース２３の長さ寸法（東西方向の長さ寸法）よりも長く設定されていてもよい。すなわち、レール７１ａの長さ方向一端部が、作業台２３ａの前の作業空間Ｓ１における上方に位置しており、長さ方向他端部が、ロフト２４内に位置するような長さに設定されていてもよい。
【００８４】
複数のハンガーランナー７１ｂは、図示しない線状部材によって互いに繋がれて連結された状態となっている。また、複数のハンガーランナー７１ｂのうち、駆動部７３に隣接する二つのハンガーランナー７１ｂは、駆動部５３に対しても、図示しない線状部材によって繋がれて連結されている。
線状部材としては、例えばポリエステルなどの樹脂性の紐が採用されており、耐久性に優れ、絡まりにくい。
そして、全ての線状部材は、二つの駆動部７３と、複数のハンガーランナー７１ｂとを繋いだ状態において長さが略等しくなるように設定されている。そのため、図１４（ｂ）に示すように、二つの駆動部７３がレール７１ａの両端部に位置する状態においては、複数のハンガーランナー７１ｂを等間隔（例えば、７０ｍｍピッチ）に配置できるようになっている。
【００８５】
本変形例における支持部７２は、物干しスペース２３の天井２３ｂに、下方に吊り下がるようにして設けられた支持装置である。支持部７２の下端部には、レール７１ａの端部を受ける受部が設けられている。
【００８６】
二つの駆動部７３は、電気を駆動源とし、複数のハンガーランナー７１ｂの走行を制御することが可能となっている。
より具体的には、複数のハンガーランナー７１ｂを、レール７１ａの長さ方向一端部側及び他端部側に寄せるように走行させることができるとともに、複数のハンガーランナー７１ｂを等間隔に配置することができるようになっている。すなわち、複数のハンガーランナー７１ｂに引っ掛けられたハンガーや物干し器具を、物干しスペース２３のロフト２４側やウォークインクローゼット２２側に寄せたり、レール７１ａの長さ方向に等間隔に配置したりすることができる。
なお、駆動部７３による複数のハンガーランナー７１ｂの走行制御は、図示しないリモコンによって作業者が操作することができる。
【００８７】
本変形例によれば、二つの駆動部５３の駆動制御によって、複数のハンガーランナー７１ｂの間隔を均等にすることができるので、ハンガーに掛けられた洗濯物を、レール７１ａの長さ方向に沿って電動で容易に移動させることができる。これにより、日常的な作業を行う際に、洗濯物を均等な間隔で干して乾燥させたり、季節に応じた作業や物品の入れ替え作業を行う際に、衣類などをウォークインクローゼット２２とロフト２４との間を容易に移動させたりすることができる。つまり、複数のハンガーランナー７１ｂに引っ掛けられたハンガーや物干し器具を、衣類を掛けた状態で、レール７１ａに沿って電動で走行させることができ、これにより、洗濯物を干す場合や、衣類をウォークインクローゼット２２やロフト２４に収納する場合にも、ハンガーや物干し器具に掛けられた衣類を容易に移動させることができる。その結果、日常的な作業や季節に応じた作業、物品の入れ替え作業を効率的に行うことが可能となる。
【符号の説明】
【００８８】
１  住宅
１ｂ  第二正面外壁
１ｂ２  第二壁
２  一階床
３  第一スキップ床
４  二階床
５  第二スキップ床
６  第三スキップ床
７  バルコニー
１０  低天井収納室
１１  部屋
２０  部屋
２１  メインスペース
２２  第一収納スペース
２３  物干しスペース
２３ａ  作業台
２３ｂ  天井
２４  第二収納スペース
２４ａ  開口部
２４ｃ  天井
２５  仕切壁
２７  掃き出し窓
３０  物干し装置
３１  吊り下げ部
３２  支持部
Ｂ１  境界
Ｂ２  境界
Ｓ１  作業空間
Ｓ２  昇降空間
【図１】
2020056257.tif 000003
【図２】
2020056257.tif 000004
【図３】
2020056257.tif 000005
【図４】
2020056257.tif 000006
【図５】
2020056257.tif 000007
【図６】
2020056257.tif 000008
【図７】
2020056257.tif 000009
【図８】
2020056257.tif 000010
【図９】
2020056257.tif 000011
【図１０】
2020056257.tif 000012
【図１１】
2020056257.tif 000013
【図１２】
2020056257.tif 000014
【図１３】
2020056257.tif 000015
【図１４】
2020056257.tif 000016